(57)【特許請求の範囲】
【請求項１】
紙製の外側容器と該外側容器の内部に収納されたブロー成形された超薄肉のプラスチック製の内側容器から成る二重容器であって、
内側容器は、口部と胴部と底部とを具え、ＰＥＴにより、容器の単位容量当たりのプリフォームの樹脂量が、０．００４ｇ／ｍｌ〜０．０２５ｇ／ｍｌの範囲、または、ＰＰにより、容器の単位容量当たりのプリフォームの樹脂量は０．０１ｇ／ｍｌ〜０．０２４ｇ／ｍｌの範囲で成形され、胴部および底部が薄肉のフィルムとなっており、
外側容器は、底板と側板と上板とからなり、
外側容器の上板は、内側容器を把持するための支持板と、側板に連設された傾斜板とを具えており、
支持板の中央部には、内側容器の口部に係合する係止片が配設され、
傾斜板が、側板との接続端縁を軸線として廻動されることによって、支持板は上位置と下位置に移動可能とされており、
内側容器の口部に被嵌したキャップ上面が外側容器の上面より上下出没自在になっていることを特徴とする二重容器。
【請求項２】
外側容器の一つの側板に、透孔が穿設されていることを特徴とする請求項１記載の二重容器。
【発明の詳細な説明】
【０００１】
【発明の属する技術分野】
本発明は、保形性を有する紙製の外側容器と、該外側容器の内部に収納されブロー成形により成形された超薄肉のプラスチック製の内側容器とから成る二重容器に関する。
【０００２】
【従来の技術】
従来から、各種液体を収納する容器として、ポリオレフィン樹脂、ＰＥＴ等硬質の合成樹脂により成形された保形性を有するプラスチック製容器は広く使用されている。
しかし、近年、廃棄物の増加などから環境問題への関心が高まる中、ブロー成形された薄肉のプラスチック製内側容器と該内側容器を補強するための紙製の外側容器とを組み合わせて複合容器とすることにより、樹脂材料の節減および廃棄物の減容化を図った四角形筒状の複合容器が提案されている（例えば、特開平８−１３３３３７号公報、特開平１０−７２０６２号公報参照）。
【０００３】
【発明が解決しようとする課題】
しかしながら、従来の四角形筒状の複合容器は、内側容器の口部が四角形筒状の複合容器の上面から出ているので、容器を陳列するときや輸送するときに、スペースを有効に利用した積み重ねができないという問題点があった。
【０００４】
本発明は、上記の問題点を解決することを課題として、保形性を有する紙製の外側容器と、該外側容器の内部に収納されブロー成形された超薄肉のプラスチック製の容器とから成る二重容器であって、陳列および輸送時に積み重ねにスペースをとらない二重容器を提供することを目的とする。
【課題を解決するための手段】
【０００５】
【課題を解決するための手段】
本発明は、上記の課題を解決するため、二重容器として、紙製の外側容器と該外側容器の内部に収納されたブロー成形された超薄肉のプラスチック製の内側容器から成る二重容器であって、内側容器は、口部と胴部と底部とを具え、ＰＥＴにより、容器の単位容量当たりのプリフォームの樹脂量が、０．００４ｇ／ｍｌ〜０．０２５ｇ／ｍｌの範囲、または、ＰＰにより、容器の単位容量当たりのプリフォームの樹脂量は０．０１ｇ／ｍｌ〜０．０２４ｇ／ｍｌの範囲で成形され、胴部および底部が薄肉のフィルムとなっており、外側容器は、底板と側板と上板とからなり、外側容器の上板は、内側容器を把持するための支持板と、側板に連設された傾斜板とを具えており、支持板の中央部には、内側容器の口部に係合する係止片が配設され、傾斜板が、側板との接続端縁を軸線として廻動されることによって、支持板は上位置と下位置に移動可能とされており、内側容器の口部に被嵌したキャップ上面が外側容器の上面より上下出没自在になっていることを特徴とする構成を採用する。
【０００６】
【発明の実施の形態】
次に、本発明の実施形態について、図面を参照して説明する。
図１において、Ａは保形性を有する筒状の紙製外側容器、Ｂは該外側容器Ａ内に収納されブロー成形された超薄肉のプラスチック製内側容器である。
【０００７】
図１〜３に示すように、外側容器Ａは、底板１と４つの側板２ａ，ｂ，ｃ，ｄと上板３とから組み立てられている。
底板１の三つの端縁にはのり代４が付設され、側板２ａの端縁にはのり代５が敷設されており、該のり代４，５に塗布させた接着剤により底板１と四つの側板２が接着され、四角形の筒を形成するようにしている。
【０００８】
側板２ｃ、または他の側板の一つには、内側容器Ｂの内容液を見ることができるように透孔６が穿設されている。
上板３は、中央に位置する内側容器Ｂを支持するための支持板７とその両側の傾斜板８ａ，ｂとからなり、その境界には、折曲げ部９ａ，ｂが形成されている。
【０００９】
傾斜板８ｂの端縁には、のり代１０が付設され、該のり代１０に塗布された接着剤により対向する側板２ａの上端に接着されるようになっている。
傾斜板８ａ，８ｂは、それぞれ接合する側板２ａ，２ｃの上端縁を軸として反転し、支持板７を上下に平行移動させ、所定の上位置と下位置に維持されるようにしている。
支持板７の中央には、挿通孔１１が穿孔され、その周縁から放射状に所定の円周まで延びる多数のスリット１２が設けられている。
スリット１２により、その放射端部を基端とする多数の係止片１３が形成されている。
【００１０】
内側容器Ｂは、ＰＰ、ＰＥＴ等を素材樹脂として二軸延伸ブロー成形によって成形され、口部２０と肩部２１と超薄肉の胴部２２と底部２３からなっている。
口部２０の外周には、ねじ２４、ネックリング２５が設けられており、口部２０は、ネックリング２５の下方から所定の距離をおいて肩部２１に続いている。
【００１１】
容器口部２０と支持板７の係止片１３との関係は、係止片１３の基端となる円周がネックリング２５の円周よりやや拡径されており、挿通孔１１の径は、口部２０の外周にほぼ一致している。
容器口部２０が挿通孔１１に嵌挿されるときには、係止片１３が広げられることによってネックリング２５を通り抜けさせ、次いで、係止片１３の先端が口部２０のネックリング２５の下側に係合して容器口部２０を把持するようになっている。
【００１２】
キャップＣは、公知のねじ式キャップで、頂壁２６と側周壁２７とからなり、側周壁２７内周には口部２０のねじ２４に螺合するねじが螺設されている。
【００１３】
次に、内側容器Ｂの成形について説明すると、内側容器Ｂは、ＰＥＴ、ＰＰ等を素材とし、射出成形により成形されたプリフォームを用いて、二軸延伸ブローによって成形され、ＰＥＴの場合には、容器の単位容量当たりのプリフォームの樹脂量は、本発明の実施例では、０．００４ｇ／ｍｌ〜０．０２５ｇ／ｍｌの範囲で成形され、胴部２２および底部２３は、薄肉のフィルムとなっている。
【００１４】
ＰＰの場合、実施例では、容器の単位容量当たりのプリフォームの樹脂量は０．０１ｇ／ｍｌ〜０．０２４ｇ／ｍｌの範囲で成形され、胴部２２と底部２３はかなり薄肉のフィルムとなっている。
【００１５】
外側容器Ａと内側容器Ｂの組合せ方法について説明する。
外側容器Ａは、その底板１と側板２とを接合して筒状容器を形成し、内側容器Ｂはブロー成形する。
次いで、内側容器Ｂの容器口部２０を外側容器Ａの支持板７の内側から挿通孔１１に嵌挿して、係止片１３をネックリング２５の下側に係合させることによって口部２０を支持板７に把持させた後、上板３の傾斜板８ｂを、側板２ａの上端に接着することによって、二重容器が組み立てられる。
【００１６】
また、別の組合せ方法として、外側容器Ａを内側容器Ｂの成形前に成形金型内に予め挿入しておき、挿入状態で内側容器Ｂのブロー成形を行い、そのブロー成形と同時に外側容器Ａとを接着する方法を採用してもよい。
【００１７】
次に、本発明容器の使用態様について説明する。
本発明の二重容器に内容液を充填するときには、図２のように、外側容器Ａの上板３の支持板７を上昇させ、上板３が山型状とした状態で行う。
所定量の内容液を充填した後、図４に示すように、支持板７を下降させ上板３を谷型状とし、その状態でキャップＣを被嵌する。
その際、容器口部を押し下げると、傾斜板８が湾曲して廻動反転し、支持板７は容易に下降させることができる。
容器口部の下降位置では、キャップＣの頂壁２６は外側容器Ａの上面より突出しない状態となり、その状態で二重容器の包装、函詰めが行われて、出荷され、店頭に陳列される。
【００１８】
二重容器の使用時には、包装を解いて、キャップＣをわずかに開蓋して密封状態を解き、キャップＣをつかんで容器口部２０を引き上げると、支持板７が上昇し、傾斜板８が湾曲して廻動反転し、上板３上面を山型状に突出させる。
そして、容器の口部２０は、上板３の支持板７に保持されているので、口部を安定させることができ、外側容器Ａを把持して内容液を注出することができる。
【００１９】
前記実施形態では、二重容器の断面を四角形としたが、六角形、または八角形とすることもできる。
その場合、上板は、対向する側板との間に張設された長方形の上板とする。
例えば、六角形の場合には、上板３の支持板７と傾斜壁８を、図５に示すような形状にすることができる。
六角形にした場合は、函詰めに当たって積載効率を高めることができる。
【００２０】
【発明の効果】
本発明は、上記のように構成されているから、次の効果を奏する。
本発明の二重容器は、外側容器によって補強されており、十分な保形性を備えているので、内側容器であるプラスチック製容器の肉厚を超薄肉のフィルム状にでき、廃棄の際に処理すべきプラスチック量を少なくすることができる。
【００２１】
また、外側容器の上板の傾斜壁を反転させ、上板を谷型状にすることによって内側容器の口部に被嵌したキャップ上面が外側容器の上面より突出させないようにしたので、陳列又は輸送時に積み重ねが容易にでき、スペースの無駄をなくすことができる。
【００２２】
詰め替え用容器として用いるときには、口部を安定させることができるので、内容液の移し替えが容易にできる。
また、一つの側板に透孔を設けているから、使用中、或いは内容液の移し替えにあたって、残っている内容液を確認することができる。
【図面の簡単な説明】
【図１】本発明の二重容器の斜視図である。
【図２】二重容器の一部断面正面図である。
【図３】外側容器の展開図である。
【図４】二重容器の輸送および陳列時の状態を示す図１のＡ−Ａ線における一部断面正面図である。
【図５】別実施形態の説明図である。
【符号の説明】
Ａ                外側容器
Ｂ                内側容器
Ｃ                キャップ
１                底板
２ａ，ｂ，ｃ，ｄ  側板
３                上板
６                透孔
７                支持板
８ａ，ｂ          傾斜板
９ａ，ｂ          折曲げ部
１１              挿通孔
１２              スリット
２０              口部
２１              肩部
２２              胴部
２３              底部
２４              ねじ
２５              ネックリング
２６              頂壁
２７              側周壁
【図１】
0003936114.tif 000002
【図２】
0003936114.tif 000003
【図３】
0003936114.tif 000004
【図４】
0003936114.tif 000005
【図５】
0003936114.tif 000006